(57)【特許請求の範囲】
【請求項１】
放熱プレートと、
前記放熱プレート上に設けられた第１の放熱領域部と、
前記放熱プレート上に設けられた第２の放熱領域部と、
前記放熱プレート上で前記第１の放熱領域部と前記第２の放熱領域部との境界部に位置し、その両端が前記放熱プレートの両端部にまで延びているインセット部とを備え、
前記第１の放熱領域部は、第１の方向に沿って互いに平行な関係で、その両端が前記インセット部または前記放熱プレートの端部に接するように延びる複数の第１の放熱フィンを有し、
前記第２の放熱領域部は、前記第１の方向とは異なる第２の方向に沿って互いに平行な関係で、その両端が前記インセット部または前記放熱プレートの端部に接するように延びる複数の第２の放熱フィンを有し、
前記インセット部は、前記第１の放熱フィンに沿って流入する空気流と前記第２の放熱フィンに沿って流入する空気流とを合流させて乱流を生じさせる空気通路を形成している、放熱装置。
【請求項２】
前記第１の放熱フィンと、前記第２の放熱フィンとは、前記インセット部を中心に‘Ｖ’字状を有するように具備されることを特徴とする請求項１に記載の放熱装置。
【請求項３】
前記インセット部は、少なくとも２個のインセットラインを含み、
前記インセットラインは、相互に交差され、あるいは折り曲げられるように形成されていることを特徴とする請求項１または２に記載の放熱装置。
【請求項４】
前記インセット部は、前記放熱プレート上に‘＋’字状に交差形成され、
前記放熱プレート上には、前記第１の放熱領域部及び前記第２の放熱領域部に加えて第３の放熱領域部及び第４の放熱領域部が設けられており、前記第１の放熱領域部、前記第２の放熱領域部、前記第３の放熱領域部及び前記第４の放熱領域部は、前記インセットラインによって区画されていることを特徴とする請求項３に記載の放熱装置。
【請求項５】
前記第３の放熱領域部は、第３の方向に沿って互いに平行な関係で、その一端が前記インセット部に面し、他端が前記放熱プレートの端部にまで延びる複数の第３の放熱フィンを有し、
前記第４の放熱領域部は、前記第３の方向とは異なる第４の方向に沿って互いに平行な関係で、その一端が前記インセット部に面し、他端が前記放熱プレートの端部にまで延びる複数の第４の放熱フィンを有し、
前記第１の放熱領域部、前記第２の放熱領域部、前記第３の放熱領域部、及び前記第４の放熱領域部上の第１の放熱フィン、第２の放熱フィン、第３の放熱フィン、及び第４の放熱フィンは、前記インセットラインの中央部を中心に‘Ｘ’字状の異なる角度を有することを特徴とする請求項４に記載の放熱装置。
【請求項６】
前記第３の放熱領域部は、第３の方向に沿って互いに平行な関係で、その両端が前記インセット部または前記放熱プレートの端部に接するように延びる複数の第３の放熱フィンを有し、
前記第４の放熱領域部は、前記第３の方向とは異なる第４の方向に沿って互いに平行な関係で、その両端が前記インセット部または前記放熱プレートの端部に接するように延びる複数の第４の放熱フィンを有し、
前記第１の放熱領域部、前記第２の放熱領域部、前記第３の放熱領域部、及び前記第４の放熱領域部上の第１の放熱フィン、第２の放熱フィン、第３の放熱フィン、及び第４の放熱フィンは、前記インセットラインの中央部を中心に菱形状の異なる角度を有することを特徴とする請求項４に記載の放熱装置。
【請求項７】
前記インセット部は、前記放熱プレート上に‘Ｘ’字状に交差形成され、
前記放熱プレート上には、前記第１の放熱領域部及び前記第２の放熱領域部に加えて第３の放熱領域部及び第４の放熱領域部が設けられており、前記第１の放熱領域部、前記第２の放熱領域部、前記第３の放熱領域部及び前記第４の放熱領域部は、前記インセットラインによって区画され、
前記第３の放熱領域部は、第３の方向に沿って互いに平行な関係で、その一端が前記インセット部に面し、他端が前記放熱プレートの端部にまで延びる複数の第３の放熱フィンを有し、
前記第４の放熱領域部は、前記第３の方向とは異なる第４の方向に沿って互いに平行な関係で、その一端が前記インセット部に面し、他端が前記放熱プレートの端部にまで延びる複数の第４の放熱フィンを有し、
前記第１の放熱領域部、前記第２の放熱領域部、前記第３の放熱領域部、及び前記第４の放熱領域部上の第１の放熱フィン、第２の放熱フィン、第３の放熱フィン、及び第４の放熱フィンは、前記インセットラインの中央部を中心に‘＋’字状の異なる角度を有することを特徴とする請求項３に記載の放熱装置。
【請求項８】
前記放熱フィンは、乱流を形成するようにしわ部、折曲部、突出部、開口部のうち少なくとも一つを含むことを特徴とする請求項１に記載の放熱装置。
【請求項９】
隣接した前記放熱領域部は、インセット部を中心として対称に具備されることを特徴とする請求項１に記載の放熱装置。
【請求項１０】
放熱プレートと、
前記放熱プレートに備わって互いに異なる角度の放熱フィンが取り付けられている複数の放熱領域部と、
隣接する前記放熱領域部の間に位置するインセット部とを含み、
前記インセット部は、少なくとも２個のインセットラインを含み、
前記インセットラインは、相互に交差され、あるいは折り曲げられるように形成されており、
前記インセット部は、前記放熱プレート上に‘＋’字状に交差形成され、
前記放熱領域部は、前記インセットラインを中心に第１の放熱領域部、第２の放熱領域部、第３の放熱領域部及び第４の放熱領域部に区画されており、
前記第１の放熱領域部、前記第２の放熱領域部、前記第３の放熱領域部及び前記第４の放熱領域部上の第１の放熱フィン、第２の放熱フィン、第３の放熱フィン及び第４の放熱フィンは、前記インセットラインの中央部を中心に菱形状の異なる角度を有することを特徴とする放熱装置。
【発明の詳細な説明】
【技術分野】
【０００１】
本発明は放熱装置に関するもので、例えば異なる方向の放熱フィンを具備する放熱装置に関する。
【背景技術】
【０００２】
最近、多様な電子装置がユーザーに提供されており、電子装置に機能が集約されることにより、電子装置の内部に提供される部品のうち、高温の熱を発生する部品(以下、‘発熱モジュール’と称する)が提供され得る。
【０００３】
このような発熱モジュールで発生する高温の熱をスムーズに放出させない場合、該当発熱モジュールだけでなく周辺部品まで影響を及ぼして部品の誤作動及び破損を引き起こし、電子装置は、その機能を実行しないことはもちろん、深刻な場合に部品の破損により電子製品を使用しないようになることがある。
【０００４】
したがって、電子装置は、多様な発熱モジュールで発生する熱を放熱させるように多様な形態の発熱装置が提供される。
【０００５】
上記したように、電子装置に実装される多様な部品のうち高温の熱を発生させる発熱モジュールが実装されることによって、効率的な放熱装置の必要性が増大している。
【０００６】
図１Ａ及び図１Ｂは、一般的な放熱装置を示す。
【０００７】
図１Ａ及び図１Ｂを参照すると、放熱プレート１１は、電子装置の外側面に提供される。
【０００８】
放熱プレート１１は、そのプレート上に隣接する放熱フィン１２を一方向に長く形成できる。
【０００９】
放熱プレート１１は、一般的にアルミニウムのように熱伝導性に優れた金属材質からなり、放熱フィン１２は、このようなプレート１１の上に放熱プレート１１と垂直方向に突出して形成され得る。
【００１０】
上記に述べたように、放熱フィン１２は、放熱プレート１１上に一方向に長く形成される構成要素である。それによって、空気の流れは、一側から他側に向けなければ効率的な放熱がなされない。例えば、アンテナ装置のように外部に実装される電子装置である場合、上記プレート１１に一方向に形成される放熱フィン１２は、重力方向に設置されるように電子装置に提供されることによって、自然対流を用いて効率的な放熱が可能になる。
【００１１】
しかしながら、アンテナ装置のような電子装置は、設置する場所や空間などの変数に従って電子装置に提供される放熱フィン１２が重力方向に設置されない場合が発生する。特に、放熱フィン１２は、重力方向と垂直な方向に設置されてもよい。この場合、放熱フィン１２と隣接した放熱フィン１２との間は、各々の放熱フィン１２により遮断され、対流による放熱効率が低下するようになる。
【００１２】
したがって、従来の放熱フィンは、プレート上に一方向を有するように形成されることで、放熱フィンが実装される電子装置は、空気の流れを考慮して設置されなければならないので、設置上の制約を有するという問題点があった。
【発明の概要】
【発明が解決しようとする課題】
【００１３】
したがって、本発明は、上記した従来技術の問題点に鑑みてなされたものであって、その目的は、放熱装置がいずれの方向に設置されても空気の流れの自由度を増加させる放熱装置を提供することにある。
【００１４】
本発明の他の目的は、放熱装置の設置位置などに制限を受けず、いずれの方向に設置されても放熱効率を一定に維持する放熱装置を提供することにある。
【課題を解決するための手段】
【００１５】
上記のような目的を達成するために、本発明の一態様によれば、放熱プレートと、放熱プレートに備わって互いに異なる角度の放熱フィンが取り付けられている放熱領域部とを含む放熱装置が提供される。
【発明の効果】
【００１６】
本発明は、放熱装置が電子装置のいずれの方向に実装されるか、あるいは放熱装置を具備した電子装置がいずれの方向に設置されても空気の流れの自由度を増加させる効果がある。
【００１７】
また、本発明は、放熱装置が設置位置などに制限されないことはもちろん、放熱装置がいずれの方向に設置されても放熱効率を一定に維持できる効果がある。
【図面の簡単な説明】
【００１８】
【図１Ａ】一般的な放熱装置を示す図である。
【図１Ｂ】一般的な放熱装置を示す図である。
【図２】本発明の第１の実施形態による放熱装置を示す斜視図である。
【図３】本発明の第１の実施形態による放熱装置を示す平面図である。
【図４】本発明の第２の実施形態による放熱装置を示す斜視図である。
【図５】本発明の第２の実施形態による放熱装置を示す平面図である。
【図６】本発明の第３の実施形態による放熱装置を示す斜視図である。
【図７】本発明の第３の実施形態による放熱装置を示す平面図である。
【図８Ａ】本発明の一実施形態による放熱装置における放熱フィンの多様な形状を示す図である。
【図８Ｂ】本発明の一実施形態による放熱装置における放熱フィンの多様な形状を示す図である。
【図８Ｃ】本発明の一実施形態による放熱装置における放熱フィンの多様な形状を示す図である。
【図８Ｄ】本発明の一実施形態による放熱装置における放熱フィンの多様な形状を示す図である。
【図９Ａ】本発明の一実施形態による放熱装置におけるインセット部の多様な形状を示す図である。
【図９Ｂ】本発明の一実施形態による放熱装置におけるインセット部の多様な形状を示す図である。
【図９Ｃ】本発明の一実施形態による放熱装置におけるインセット部の多様な形状を示す図である。
【図９Ｄ】本発明の一実施形態による放熱装置におけるインセット部の多様な形状を示す図である。
【図９Ｅ】本発明の一実施形態による放熱装置におけるインセット部の多様な形状を示す図である。
【図１０Ａ】本発明の第１の実施形態による放熱装置において、発熱モジュールで発熱された温度の分布を示す図である。
【図１０Ｂ】本発明の第２の実施形態による放熱装置において、発熱モジュールで発熱された温度の分布を示す図である。
【図１１】本発明の第１の実施形態及び第２の実施形態による放熱装置において、放熱フィンにより放熱される温度分布を示すデータである。
【発明を実施するための形態】
【００１９】
以下、本発明の望ましい実施形態を添付の図面を参照して詳細に説明する。
【００２０】
本発明の多様な実施形態では、多様な変更が可能であり、様々な実施形態を有し、特定の実施形態が図面に示され、関連した詳細な説明が記載される。しかしながら、これは、本発明の多様な実施形態を特定の実施形態に対して限定するものでなく、本発明の多様な実施形態の思想及び技術の範囲に含まれるすべての変更及び/又は均等物又は代替物を含むと理解しなければならない。図面の説明に関連して、類似した構成要素に対しては類似した参照符号が使われる。
【００２１】
本発明の多様な実施形態で使用される“含む”又は“含むことができる”などの表現は、開示(disclosure)される該当機能、動作、又は構成要素などの存在を示し、追加的な一つ以上の機能、動作、又は構成要素を制限しない。また、本発明の多様な実施形態において、‘含む’又は‘有する’などの用語は、明細書上に記載された特徴、数字、段階、動作、要素、特性、及び/又は構成要素が存在することを指定しようとするものであって、一つ又はそれ以上の他の特徴、数字、段階、動作、要素、特性、及び/又は構成要素及び/又はこれらを組み合わせの存在又は付加可能性を予め排除しないことを理解しなければならない。
【００２２】
本発明の多様な実施形態において、“又は”のような表現は、ともに記載される単語の部分、及びすべての組み合わせを含む。例えば、“Ａ又はＢ”は、Ａを含むことも、Ｂを含むことも、又はＡとＢをすべて含むこともできる。
【００２３】
‘第１’、‘第２’のように序数を含む用語は多様な構成要素を説明するために使用されるが、構成要素は、上記用語により限定されない。例えば、これら用語は、該当構成要素の順序及び/又は重要度を限定するものではない。これらの用語は、一つの構成要素を他の構成要素から区別する目的のみで使われる。例えば、本発明の権利範囲を外れることなく、第１の構成要素は第２の構成要素と称され、同様に第２の構成要素も第１の構成要素と称され得る。‘及び／又は’という用語は、複数の関連した記載項目の組合せ又は複数の関連した記載項目のうち何れかの項目を含む。
【００２４】
一つの構成要素が他の構成要素に“連結される”又は“接続される”という語句は、２個以上の構成要素の間で、直接的又は間接的に接続されるか、あるいはそれらの間に新たな構成要素が存在することもできると理解しなければならない。一方、２個以上の構成要素が相互に“直接連結”又は“直接接続”と称される場合には、それら間に新たな構成要素が存在しないと理解しなければならない。
【００２５】
本発明の多様な実施形態で使用する用語は、単に特定の実施形態を説明するためのもので、本発明の実施形態を限定しようとする意図ではない。単数形は、コンテキスト中に特記で明示されない限り、複数形を含むことは、当業者には理解できることである。
【００２６】
別に定義されない限り、ここで使用される技術的及び科学的な用語を含むすべての用語は、本発明が属する技術分野で通常の知識を持った者には一般的に理解される意味と同一の意味を有する。一般的に使用される辞典で定義されるような用語は、関連技術の文脈上有する意味と一致する意味を有すると解析されなければならなく、ここで明白に定義されない限り、理想的又は過度に形式的な意味で解析されない。
【００２７】
本発明の多様な実施形態による電子装置は、内部に発熱モジュールが実装されて放熱させようとする放熱装置を備える機器をすべて含むことができる。
【００２８】
例えば、上記電子装置は、アンテナ装置、照明装置を含むことができる。
【００２９】
さらに、電子装置は、上記の機器のみに限定されるものではなく、タブレット型パソコン、携帯電話、デスクトップＰＣ、ラップトップＰＣ、ネットブックＰＣ、ＰＤＡ(Personal Digital Assistant)、ＰＭＰ(Portable Multimedia Player)のような通信装置から、テレビジョン、ＤＶＤ(Digital Video Disk)プレーヤー、オーディオ、冷蔵庫、エアコン、電気掃除機、オーブン、電子レンジ、洗濯機、空気清浄器、セットトップボックス、ＴＶボックス(例えば、Ｓａｍｓｕｎｇ  ＨｏｍｅＳｙｎｃＴＭ、Ａｐｐｌｅ  ＴＶＴＭ、又はＧｏｏｇｌｅ  ＴＶＴＭ)、ゲーム機、電子辞書、電子キー、カムコーダ、又は電子ピクチャーフレームのようなスマート家電製品であってもよく、プロジェクタ、又は多様な測定機器(例えば、水、電気、ガス、又は電磁波測定装置)であってもよく、上記した多様な装置のうち一つ又はそれ以上の組み合わせでもよい。
【００３０】
以下、添付の図２乃至図１１を参照して、多様な実施形態による放熱装置について説明する。また、本発明の多様な実施形態による放熱装置の３つの実施形態を代表的に説明するが、これに限定される構成ではないことである。すなわち、後述するが、放熱領域の個数、又は相互に異なる放熱領域部に提供される放熱フィンの角度は、放熱装置が実装される電子装置の発熱モジュールの位置、電子装置の実装環境、実装空間、実装角度などの多様な要因に従っていくらでも変更や変形が可能であり得る。
【００３１】
本発明の一実施形態による放熱装置は、放熱プレートと、この放熱プレートに具備され、相互に異なる角度の放熱フィンが取り付けられる放熱領域部(heat  radiating  area  portion)を含むことができる。
【００３２】
また、本発明の一実施形態による放熱装置で、放熱領域部と、この放熱領域部に隣接した放熱領域部との間にインセット(inset)部が取り付けられる。
【００３３】
また、本発明の一実施形態による放熱装置で、放熱領域部に形成される放熱フィンと、放熱領域部に隣接した放熱領域部に提供される放熱フィンは、インセット部を中心にして‘Ｖ’字状を有するように備えられる。
【００３４】
さらに、本発明の一実施形態による放熱装置で、インセット部は、少なくとも２個のインセットラインを含み、インセットラインは、相互に交差され、相互に折り曲げられるように形成され得る。
【００３５】
本発明の一実施形態による放熱装置で、インセット部は、放熱プレート上に‘＋’字状に交差形成され、放熱領域部は、インセットラインを中心に第１、第２、第３、第４の放熱領域に区画できる。
【００３６】
本発明の一実施形態による放熱装置で、第１、第２、第３、第４の放熱領域上の第１、第２、第３、第４の放熱フィンは、インセットラインの中央部を中心にして‘Ｘ’字状の異なる角度を有することができる。
【００３７】
本発明の他の実施形態による放熱装置で、第１、第２、第３、第４の放熱領域上の第１、第２、第３、第４の放熱フィンは、インセットラインの中央部を中心にして菱形状の異なる角度を有することができる。
【００３８】
本発明の一実施形態による放熱装置で、インセット部は、放熱プレート上に‘Ｘ’字状に交差形成され、放熱領域部は、インセットラインを中心に第１、第２、第３、第４の放熱領域に区画され、第１、第２、第３、第４の放熱領域上の第１、第２、第３、第４の放熱フィンは、インセットラインの中央部を中心にして‘＋’字状の異なる角度を有することができる。
【００３９】
また、本発明の一実施形態による放熱装置で、放熱フィンは、乱流を形成するようにしわ部、折曲部、突出部、開口部のうち少なくとも一つがさらに含まれる。
【００４０】
さらに、本発明の一実施形態による放熱装置で、隣接する放熱領域部は、インセット部を中心にして対称に具備され得る。
【００４１】
図２は、本発明の第１の実施形態による放熱装置の斜視図である。図３は、本発明の第１の実施形態による放熱装置の平面図である。図４は、本発明の第２の実施形態による放熱装置の斜視図である。図５は、本発明の第２の実施形態による放熱装置の平面図である。図６は、本発明の第３の実施形態による放熱装置の斜視図である。図７は、本発明の第３の実施形態による放熱装置の平面図である。図８Ａ乃至図８Ｄは、本発明の一実施形態による放熱装置で放熱フィンの多様な形状を示す。図９Ａ乃至図９Ｅは、本発明の一実施形態による放熱装置でインセット部の多様な形状を示す。
【００４２】
図２乃至図９をともに参照すると、本発明の一実施形態による放熱装置１００は、放熱プレート(heat radiating area portion：以下、‘プレート'と称する)１１０と、放熱フィン１２１，１２２，１２３，１２４を含み、プレート１１０は、インセット部１４０により少なくとも一つ以上の放熱領域部１３１，１３２，１３３，１３４に区画できる。
【００４３】
プレート１１０は、電子装置、例えばアンテナ装置又は照明装置のように発熱が発生する発熱モジュール１７０の位置に提供される構成要素である。プレート１１０は、発熱モジュール１７０(図８を参照)で発生する熱が伝達されるように銅、アルミニウムのように熱伝導率が高い材質からなり得る。本発明の一実施形態において、プレート１１０の材質は、銅又はアルミニウムを一例として示したが、これに限定される構成ではなく、電子装置が使用される環境、空間、デザイン、又は外部環境などを考慮して適合した熱伝導率を有する材質であれば、いくらでも変更又は変形が可能である。
【００４４】
さらに、本発明の一実施形態によるプレート１１０は、正方形又は長方形の形状を有し、後述する多様な実施形態でプレート１１０は、正方形に形成されることを例として説明する。しかしながら、プレート１１０の形状は、これに限定されるものではない。例えば、プレート１１０を備える電子装置の設置角度、又はプレート１１０が電子装置に実装される実装角度に従って正方形又は長方形で回転される形態で具備されてもよく、円形又は多角形に形成されてもよい等のプレート１１０の形状は、多様に変形又は変更が可能である。
【００４５】
放熱フィン１２１，１２２，１２３，１２４は、プレート１１０上に一定の間隔を有し、垂直方向に突出される構成要素である。このような放熱フィン１２１，１２２，１２３，１２４は、プレート１１０上で所定の角度を有するように備えられる。本発明の一実施形態による放熱フィン１２１，１２２，１２３，１２４は、プレート１１０上で所定の角度を有するだけでなく、プレート１１０上に隣接するように少なくとも一つ以上の放熱領域部１３１，１３２，１３３，１３４上に備えられる。
【００４６】
本発明の多様な実施形態による放熱フィン１２１，１２２，１２３，１２４は、プレート１１０上に垂直方向に突出されることを例として説明する。しかしながら、放熱フィンは、プレート上で所定の角度を有するように傾斜するように突出され得る。これは、放熱フィンがプレートで組み立てられる工程により多様に変更でき、放熱装置が設置される外部環境により傾いた角度もいくらでも変更できる。
【００４７】
具体的に、放熱領域部１３１，１３２，１３３，１３４は、プレート１１０上に同一の方向に平行に突出される放熱フィン１２１，１２２，１２３，１２４が形成される放熱領域であって、放熱領域は、プレート１１０上に少なくとも一つが形成され得る。放熱領域部１３１，１３２，１３３，１３４は、プレート１１０上で対称形状を有することを例として説明する。しかしながら、放熱領域部１３１，１３２，１３３，１３４は、後述するインセット部１４０の位置又は発熱モジュール１７０の位置に従って非対称に形成されてもよい。また、放熱領域部１３１，１３２，１３３，１３４は、プレート上に一方向に沿って隣接に形成されてもよく、重力方向及び重力方向と垂直な方向に形成されてもよい。
【００４８】
後述するが、本発明の多様な実施形態による放熱領域部１３１，１３２，１３３，１３４は、第１、第２、第３、第４の放熱領域１３１，１３２，１３３，１３４を含んで交差されるインセット部１４０を基準にして対称に形成される４個の領域に区画されることを例として説明する。しかしながら、放熱領域部１３１，１３２，１３３，１３４は、少なくとも一つ以上、すなわち一つの放熱領域部１３１，１３２，１３３，１３４で具備でき、あるいは２個又はそれ以上の放熱領域を含むこともでき、プレート１１０のサイズ又は放熱モジュールの位置などを考慮して色々と変形又は変更が可能である。
【００４９】
インセット部１４０は、放熱領域部１３１，１３２，１３３，１３４と、放熱領域部１３１，１３２，１３３，１３４に隣接した放熱領域部１３１，１３２，１３３，１３４との間に具備できる。具体的には、放熱領域部１３１，１３２，１３３，１３４は、インセット部１４０を中心として相互に隣接して位置できる。インセット部１４０は、異なる角度の放熱フィン１２１，１２２，１２３，１２４を通じて流入される空気がインセット部１４０で乱流に変更され、それによってエネルギーが発生しつつ、空気の流れが発生できる。これによって、空気の流れを一層活発にし、それによって放熱フィン１２１，１２２，１２３，１２４の間で空気の移動が効率的に発生し、放熱効率を増大させ得る。
【００５０】
上記したが、本発明の一実施形態による隣接した放熱領域部１３１，１３２，１３３，１３４は、インセット部１４０を基準に対称又は非対称に区画できる。後述する本発明の多様な実施形態による放熱装置１００で、放熱領域部１３１，１３２，１３３，１３４は、インセット部１４０を中心にして対称に区画されることを例として説明する。しかしながら、各々の放熱領域部１３１，１３２，１３３，１３４は、サイズが異なるように非対称に形成されるように、発熱モジール１７０の位置に従ってインセット部１４０の位置はいくらでも変形又は変更が可能であり、それによって放熱領域部１３１，１３２，１３３，１３４が非対称に形成されることは明らかである。
【００５１】
インセット部１４０を基準として隣接した放熱領域部１３１，１３２，１３３，１３４に形成される放熱フィン１２１，１２２，１２３，１２４と、放熱領域部１３１，１３２，１３３，１３４に隣接した放熱領域部１３１，１３２，１３３，１３４に提供される放熱フィン１２１，１２２，１２３，１２４は、異なる角度、具体的には‘Ｖ’字状又はその反対形状(‘Λ’形状)を有することができる。例えば、一つのインセット部１４０が具備される場合に、一つの放熱領域部１３１，１３２，１３３，１３４に形成される放熱フィン１２１，１２２，１２３，１２４と、これに隣接した他の領域の放熱領域部１３１，１３２，１３３，１３４の放熱フィン１２１，１２２，１２３，１２４は、インセット部１４０を基準に‘Ｖ’字状又はその逆方向の‘Λ’字状に異なる角度を有することができる。また、２個のインセット部１４０が平行するように具備される場合、放熱領域部１３１，１３２，１３３，１３４は、中央の放熱領域部１３１，１３２，１３３，１３４を中心にして両側に左右側の放熱領域部１３１，１３２，１３３，１３４に含むことができる。この場合、一側から他側へ放熱領域部１３１，１３２，１３３，１３４に形成された放熱フィン１２１，１２２，１２３，１２４は、一つの山形状と一つの谷形状又は一つの谷形状と一つの山形状に異なる角度を有するように形成される。インセット部１４０を基準として各々のプレート１１０に形成された放熱フィン１２１，１２２，１２３，１２４は、２０°〜８０°の角度を有することができる。本発明において、放熱フィン１２１，１２２，１２３，１２４は、インセット部１４０を基準に４５°の角度を有することを例として説明する。しかしながら、放熱フィン１２１，１２２，１２３，１２４の角度は、これに限定されるものではない。また、各々の放熱領域部１３１，１３２，１３３，１３４に形成された放熱フィン１２１，１２２，１２３，１２４は、インセット部１４０を基準として対称に形成されるように所定の角度を形成できる。例えば、図２を参照すると、水平方向のインセット部１４０を基準として第１の放熱領域１３１の第１の放熱フィン１２１は、反時計方向に水平方向のインセット部１４０の上側に４５°の角度で形成され、第２の放熱領域１３２の第２の放熱フィン１２２は時計方向に水平方向のインセット部１４０の上側に４５°の角度で形成され、第３の放熱領域１３３の第３の放熱フィン１２３は、反時計方向に水平方向のインセット部１４０の下側に４５°の角度で形成され、第４の放熱領域１３４の第４の放熱フィン１２４は、時計方向に水平方向のインセット部１４０の下側に４５°で形成される。しかしながら、各々の放熱領域部１３１，１３２，１３３，１３４に形成された放熱フィン１２１，１２２，１２３，１２４ の上記した一例のように対称にのみ形成されるものではない。すなわち、それぞれの放熱領域部１３１，１３２，１３３，１３４に形成された放熱フィン１２１，１２２，１２３，１２４は、各々異なる角度を有することもできる。
【００５２】
図８Ａ乃至図８Ｄを参照すると、本発明の一実施形態による放熱フィン１２１，１２２，１２３，１２４の表面には、放熱フィン１２１，１２２，１２３，１２４の間に流入する空気が乱流を形成するように別の構成要素が形成され得る。例えば、図８Ａのように、しわ部１２６は、放熱フィン１２１，１２２，１２３，１２４の所定位置に複数のしわ形状を持つように形成される。また、しわ部１２６とは異なり、折曲部１２７は、放熱フィン１２１，１２２，１２３，１２４の所定位置に折り曲げられる形状に形成される。また、突出部１２８は、しわ部１２６又は折曲部１２７とは異なり、放熱フィン１２１，１２２，１２３，１２４の所定位置に別の突起が突出されて形成される。また、これらしわ部１２６、折曲部１２７、及び突出部１２８とは異なり、放熱フィン１２１，１２２，１２３，１２４の所定位置に複数のホール又は溝の開口部１２９が形成される。また、しわ部１２６、折曲部１２７、突出部１２８、及び開口部１２９のうち少なくとも一つ以上が組み合わせられるように放熱フィン１２１，１２２，１２３，１２４に形成され得る。
【００５３】
図９Ａ乃至図９Ｅを参照すると、本発明の多様な実施形態によるインセット部１４０は、少なくとも２個のインセットラインが相互に交差するように形成され、あるいは折り曲げるように形成されることを例として説明する。例えば、図９Ａ又は図９Ｂに示すように、プレート１１０上に２個のインセットラインは‘＋’又は‘Ｘ’字状に交差するように形成されてもよく、図９Ｃ又は図９Ｄに示すように、インセットラインは‘Ｔ’又は‘Ｌ’字状のように折り曲げるように形成されてもよい。また、図９Ｅに示すように、インセットラインは、少なくとも一つ以上が相互に平行するように形成されてもよく、平行したインセットラインと交差するインセットラインが組み合わせられて形成されてもよい。このように、インセット部１４０は、発熱モジュール１７０の位置又は放熱効率を考慮していくらでも変形又は変更できる。
【００５４】
上記したように、放熱領域部１３１，１３２，１３３，１３４とインセット部１４０は、発熱モジュール１７０の位置によりいくらでも変形又は変更が可能である。
【００５５】
また、放熱領域部１３１，１３２，１３３，１３４とインセット部１４０の構造により隣接した放熱フィン１２１，１２２，１２３，１２４は、方向及び角度が設定され得る。
【００５６】
以下、図２及び図３を参照して、本発明の一実施形態による放熱装置１００について説明する。
【００５７】
図２及び図３を参照すると、第１の実施形態による放熱装置１００は、相互に交差するインセット部１４０を具備し、インセット部１４０を基準にして４個の放熱領域部１３１，１３２，１３３，１３４を具備する。具体的に、放熱装置１００は、正方形のプレート１１０上に水平方向及び水平方向と垂直な方向に交差して‘＋’字状に交差されるインセット部１４０と、このインセット部１４０を基準にして第１乃至第４の放熱領域１３１，１３２，１３３，１３４の４個の放熱領域部１３１，１３２，１３３，１３４を含むことができる。本発明では、図３を基準にして左側上段の放熱領域部１３１，１３２，１３３，１３４を第１の放熱領域１３１と称し、時計方向に右側上段の放熱領域部１３１，１３２，１３３，１３４を第２の放熱領域１３２と称し、右側下段の放熱領域部１３１，１３２，１３３，１３４を第３の放熱領域１３３と称し、左側下段の放熱領域部１３１，１３２，１３３，１３４を第４の放熱領域１３４と称する。これは、説明の便宜のためのものであり、第１乃至第４の放熱領域１３１，１３２，１３３，１３４はいくらでも変更できる。
【００５８】
第１の放熱領域１３１は、交差するインセット部１４０を基準にして第２の放熱領域１３２と第４の放熱領域１３４に隣接するように備えられる。また、第２の放熱領域１３２は、交差するインセット部１４０を基準にして第１の放熱領域１３１と第３の放熱領域１３３に隣接するように具備される。また、第３の放熱領域１３３は、第２の放熱領域１３２と第４の放熱領域１３４に隣接するように具備される。また、第４の放熱領域１３４は、第３の放熱領域１３３と第１の放熱領域１３１に隣接するように具備される。
【００５９】
第１乃至第４の放熱フィン１２１，１２２，１２３，１２４は、第１乃至第４の放熱領域１３１，１３２，１３３，１３４に異なる角度を有するように設置される。また、第１乃至第４の放熱領域１３１，１３２，１３３，１３４に形成される第１乃至第４の放熱フィン１２１，１２２，１２３，１２４は、プレート１１０を重力方向又は重力方向と垂直な方向に位置させても同一の形状を有するように具備される。
【００６０】
また、本発明の第１の実施形態による第１乃至第４の放熱フィン１２１，１２２，１２３，１２４は、隣接した放熱フィン１２１，１２２，１２３，１２４が相互に谷形状に異なる角度を有するように形成される。したがって、第１乃至第４の放熱フィン１２１，１２２，１２３，１２４は、インセットラインの中央部を基準に‘Ｘ’字状に隣接した放熱フィン１２１，１２２，１２３，１２４が異なる角度で形成され得る。
【００６１】
具体的に、第１の放熱領域１３１と第２及び第４の放熱領域１３２，１３４は、相互に隣接した領域である。したがって、第１の放熱領域１３１に形成される第１の放熱フィン１２１と第２及び第４の放熱領域１３２，１３４に形成される第２及び第４の放熱フィン１２２，１２４は異なる角度を有する。したがって、第１の放熱フィン１２１と第２の放熱フィン１２２は、インセット部１４０を中心に‘Ｖ’字状に異なる角度を有し、第１の放熱フィン１２１と第４の放熱フィン１２４は、インセット部１４０を中心にして‘Ｖ’字状に異なる角度を有することができる。同様に、第２の放熱領域１３２と第１及び第４の放熱領域１３３は、相互に隣接した領域に第２の放熱領域１３２に形成される第２の放熱フィン１２２と第１及び第３の放熱領域１３３に形成される第１及び第３の放熱フィン１２３は異なる角度を有する。したがって、第２の放熱フィン１２２と第１の放熱フィン１２１は、上記したように‘Ｖ’字状に異なる角度を有し、第２の放熱フィン１２２と第３の放熱フィン１２３は、インセット部を中心に‘Ｖ’字状に異なる角度を有する。同様に、第３の放熱領域１３３と第２及び第４の放熱領域１３４は、相互に隣接した領域であって、第３の放熱領域１３３に形成された第３の放熱フィン１２３は、第２及び第４の放熱フィン１２２，１２４と異なる角度を有する。したがって、第３の放熱フィン１２３と第２の放熱フィン１２２は、上記したように‘Ｖ’字状の異なる角度を有し、第３の放熱フィン１２３と第４の放熱フィン１２４は、インセット部１４０を基準にして‘Ｖ’字状に異なる角度を有することがある。また、第４の放熱領域１３４と第１及び第３の放熱領域１３１，１３３は、相互に隣接した領域であって、第４の放熱領域１３４に形成された第４の放熱フィン１２４は、第１及び第３の放熱フィン１２３と異なる角度を有する。したがって、上記したように、第４の放熱フィン１２４と第３の放熱フィン１２３は、インセット部１４０を基準に‘Ｖ’字状の異なる角度を形成し、第４の放熱フィン１２４と第１の放熱フィン１２１は、インセット部を基準にして‘Ｖ’字状の相互に異なる角度を形成することができる。
【００６２】
それによって、本発明の第１の実施形態による第１の放熱領域１３１の第１の放熱フィン１２１と第３の放熱領域１３３の第３の放熱フィン１２３は同一の角度を有し、第２の放熱領域１３２の第２の放熱フィン１２２と第４の放熱領域１３４の第４の放熱フィン１２４が同一の角度を有することができる。したがって、本発明の第１の実施形態による第１乃至第４の放熱領域１３１，１３２，１３３，１３４上の第１乃至第４の放熱フィン１２１，１２２，１２３，１２４は、インセットラインの中央部を中心にして‘Ｘ’字状に異なる角度を有するように形成され得る。
【００６３】
上記したように、プレート１１０が重力方向に位置する場合、‘＋’字状に交差するインセット部１４０を基準に第１乃至第４の放熱フィン１２１，１２２，１２３，１２４は、‘Ｘ’字状に異なる角度で形成される。この状態で、プレート１１０を重力方向と垂直な方向に回転させて位置する場合にもインセット部１４０は、‘＋’字状に交差され、このようなインセット部１４０を基準にして第１乃至第４の放熱フィン１２１，１２２，１２３，１２４は、‘Ｘ’字状に異なる角度を有することができる。したがって、放熱装置１００が備えられる電子装置は、設置環境に従って重力方向又は重力方向と垂直な方向に設置されても放熱フィン１２１，１２２，１２３，１２４の形状は常に一定するようになる。
【００６４】
それによって、放熱装置１００は、重力方向に設置され、重力方向と垂直な方向に設置されても放熱効率は一定に維持することができる。
【００６５】
以下、図４及び図５を参照して第２の実施形態による放熱装置１００について説明する。
【００６６】
本発明の第２の実施形態による放熱装置１００は、上記した第１の実施形態による放熱装置１００で、第１乃至第４の放熱領域１３１，１３２，１３３，１３４に形成される第１乃至第４の放熱フィン１２１，１２２，１２３，１２４ の形成される角度で差がある。したがって、本発明による第２の実施形態では、上記した内容又は構成と同一の部分に対しては、上記した実施形態を適用できる。また、上記した説明と重複されるか、あるいは同一の内容に対しても、上記した実施形態を適用しつつ、以下、差がある構成に関しては具体的に説明する。
【００６７】
図４及び図５を参照すると、第２の実施形態による放熱装置１００は、プレート１１０上に相互に‘＋’字状に交差されるインセット部１４０と、このインセット部１４０を基準として４個の第１乃至第４の放熱領域１３１，１３２，１３３，１３４を含む。第１乃至第４の放熱領域１３１，１３２，１３３，１３４に隣接した放熱領域間で異なる角度を形成する第１乃至第４の放熱フィン１２１，１２２，１２３，１２４ が形成される。
【００６８】
特に、本発明の第２の実施形態による第１乃至第４の放熱フィン１２１，１２２，１２３，１２４は、相互に山形状を形成し、異なる角度を有するように形成され得る。したがって、第１乃至第４の放熱フィン１２１，１２２，１２３，１２４ は、インセットラインの中央部を中心として菱形状に隣接した放熱領域部１３１，１３２，１３３，１３４の放熱フィン１２１，１２２，１２３，１２４ が異なる角度で形成され得る。
【００６９】
第２の実施形態による放熱装置１００も、プレート１００が重力方向に位置する場合と、重力方向と垂直な方向に位置する場合のそれぞれの放熱領域に形成された放熱フィン１２１，１２２，１２３，１２４ の方向は、同一に形成できる。
【００７０】
それによって、放熱装置１００が重力方向に設置されるか、あるいは重力方向と垂直な方向に設置されても放熱効率は、一定に維持することができる。
【００７１】
以下、図６及び図７を参照して、第３の実施形態による放熱装置１００について説明する。
【００７２】
本発明の第３の実施形態による放熱装置１００は、上記した第１の実施形態又は第２の実施形態による放熱装置１００で、プレート１１０が設置される形状と、インセット部が交差する形状と、それによって第１乃至第４の放熱領域１３１，１３２，１３３，１３４に形成された第１乃至第４の放熱フィン１２１，１２２，１２３，１２４の形成される角度などで差異がある。
【００７３】
図６及び図７を参照すると、本発明の第３実施形態による放熱装置１００で、インセット部１４０は、正方形のプレート１１０に縁と縁を連結して交差するように形成できる。すなわち、２個のインセットラインで形成されるインセット部１４０は、プレート１１０上に‘Ｘ’字状に交差形成される。
【００７４】
プレート１１０は、インセットラインの中央部を基準として４個の第１乃至第４の領域１３１，１３２，１３３，１３４に区画できる。本発明の第３の実施形態による放熱領域部１３１，１３２，１３３，１３４は、プレート１１０の最上部の放熱領域部１３１，１３２，１３３，１３４を第１の放熱領域１３１と称し、これを基準として時計方向に各々第２乃至第４の放熱領域１３２，１３３，１３４と称する。これは、説明の便宜性又は容易性のためのものであり、第１乃至第４の放熱領域１３１，１３２，１３３，１３４は、いくらでもその位置が変更され得る。
【００７５】
したがって、本発明の第３の実施形態による第１乃至第４の放熱フィン１２１，１２２，１２３，１２４も相互に異なる角度を形成できる。特に、本発明の第３の実施形態では、第１及び第３の放熱フィン１２１，１２３は、重力方向に形成され、第２及び第４の放熱フィン１２２，１２４は、重力方向と垂直な方向に形成され得る。したがって、第３の実施形態によるインセット部１４０は、‘Ｘ’字状に形成され、第１乃至第４の放熱フィン１２１，１２２，１２３，１２４は、インセットラインの中央部を中心に‘＋’字状に相互に谷形状で異なる角度を有するように形成され得る。
【００７６】
また、第３の実施形態による放熱装置１００も、プレート１１０が重力方向に位置する場合と、重力方向と垂直な方向に位置する場合のそれぞれの放熱領域に形成された放熱フィン１２１，１２２，１２３，１２４の方向は同一に形成される。
【００７７】
それによって、放熱装置１００が重力方向に設置され、あるいは重力方向と垂直な方向に設置されても放熱効率は、一定に維持することができる。
【００７８】
以下、本発明の第１の実施形態及び第３の実施形態による放熱装置の放熱効率をシミュレーションしたデータを例として簡単に説明する。
【００７９】
図１０Ａ及び図１０Ｂは、本発明の第１及び第２の実施形態による放熱装置において、発熱モジュールで発熱される温度の分布を示す。図１１は、本発明の第１及び第２の実施形態による放熱装置において放熱フィンによる放熱される温度分布を示す。
【００８０】
図１０Ａ乃至図１１を参照すると、放熱装置１００のプレート１１０の厚さ又はサイズ及び材質を同一にし、放熱フィン１２１，１２２，１２３，１２４の間隔、材質、厚さ、突出された高さなどを同一にした状態で、放熱装置１００に２個の高温の発熱モジュール１７０を提供した状態で、放熱装置による温度分布を確認できる。
【００８１】
すなわち、プレート１１０が重力方向に設置される場合、一側及び他側に提供される発熱モジュール１７０で発生した高温の熱が放熱フィン１２１，１２２，１２３，１２４で放熱される温度分布は、第１の実施形態ではおよそ１２６°であり、第２の実施形態ではおよそ１２４°である。このとき、放熱フィン１２１，１２２，１２３，１２４ により放熱されることによって、一側及び他側に提供される発熱モジュール１７０の温度は、第１の実施形態の場合には約１０９°〜１１０°に低下し、第２の実施形態の場合には約１０７°〜１０８°に低下する。
【００８２】
一方、プレート１１０が重力方向の垂直方向、すなわち水平方向に設置される場合、放熱フィン１２１，１２２，１２３，１２４ の形状は、重力方向に設置される場合と大きく変わらない。したがって、一側及び他側に提供された発熱モジュール１７０で発生する温度分布が第１の実施形態ではおよそ１２６°であり、第２の実施形態ではおよそ１２４°である場合、放熱フィン１２１，１２２，１２３，１２４による放熱によって発熱モジュール１７０の温度は、上記した重力方向の設置時と同様に、第１の実施形態の場合には約１０８°〜１０９°に低下し、第２の実施形態の場合には約１０７°〜１０８°に低下する。
【００８３】
したがって、プレート１１１０が重力方向に設置されても、又は重力方向と垂直な方向に設置されても、放熱装置１００による発熱モジュール１７０の放熱効率は一定するだけでなく、放熱効率も向上することがわかる。
【００８４】
本明細書と図面に開示された本発明の実施形態は、本発明による技術内容を容易に説明し、本発明の理解を助けるために特定の実施形態を提示されるだけであって、本発明の実施形態の範囲を限定するものではない。したがって、本発明の属する技術の分野における通常の知識を有する者であれば、特許請求の範囲に記載された技術的思想の範疇内において、各種の変更例又は修正例に想到し得ることは明らかであり、これらについても、当然に本発明の技術的範囲に属するものと了解される。
【符号の説明】
【００８５】
１００    放熱装置
１１０    プレート
１２１，１２２，１２３，１２４    放熱フィン
１３１，１３２，１３３，１３４    放熱領域部
１４０    インセット部
１７０    発熱モジュール
【図１ａ】
0006526067.tif 000002
【図１ｂ】
0006526067.tif 000003
【図２】
0006526067.tif 000004
【図３】
0006526067.tif 000005
【図４】
0006526067.tif 000006
【図５】
0006526067.tif 000007
【図６】
0006526067.tif 000008
【図７】
0006526067.tif 000009
【図８ａ】
0006526067.tif 000010
【図８ｂ】
0006526067.tif 000011
【図８ｃ】
0006526067.tif 000012
【図８ｄ】
0006526067.tif 000013
【図９ａ】
0006526067.tif 000014
【図９ｂ】
0006526067.tif 000015
【図９ｃ】
0006526067.tif 000016
【図９ｄ】
0006526067.tif 000017
【図９ｅ】
0006526067.tif 000018
【図１０ａ】
0006526067.tif 000019
【図１０ｂ】
0006526067.tif 000020
【図１１】
0006526067.tif 000021